(57)【要約】【課題】使用時に自立可能であるとともに、折畳み容易なコンテナバッグを提供することを目的とする。【解決手段】矩形状の４つの側壁部４を備えて展開時に矩形箱形状をなすバッグ本体部６を有し、３つの側壁部４に、それぞれ、弾性を有する２本の棒部材９、９が、円弧状に曲折された状態で、隣接する側壁部４に及ぶことなく配設され、一方の棒部材９は、一端部が側壁部４の右上隅部に取着され、他端部が側壁部４の右下隅部に取着されて、長さ方向の中央部が側壁部４の中央部付近に配置され、他方の棒部材９は、一端部が側壁部４の左上隅部に取着され、他端部が側壁部４の左下隅部に取着されて、長さ方向の中央部が側壁部４の中央部付近に配置されているフレキシブルコンテナバッグＢ。【選択図】図２
0003122365.tif 000002
【実用新案登録請求の範囲】
【請求項１】
可撓性を有するバッグ本体部を有し、
前記バッグ本体部は、矩形状の４つの側壁部を備えて、展開時に矩形箱形状をなし、
前記４つの側壁部のうちの少なくとも互いに対向する２つの側壁部に、それぞれ、弾性を有する２本の棒部材が、円弧状に曲折された状態で、隣接する側壁部に及ぶことなく配設され、
前記２つの側壁部の各々において、前記２本の棒部材のうちの一方の棒部材は、一端部が側壁部の右上隅部に取着され、他端部が側壁部の右下隅部に取着されて、長さ方向の中央部が側壁部の中央部付近に配置され、他方の棒部材は、一端部が側壁部の左上隅部に取着され、他端部が側壁部の左下隅部に取着されて、長さ方向の中央部が側壁部の中央部付近に配置されている
ことを特徴とするフレキシブルコンテナバッグ。
【請求項２】
前記２つの側壁部以外の１つの側壁部にも、前記２つの側壁部と同様に前記２本の棒部材が配設され、残りの側壁部には、前記２本の棒部材が配設されていないことを特徴とする請求項１記載のフレキシブルコンテナバッグ。
【考案の詳細な説明】
【技術分野】
【０００１】
本考案は、フレキシブルコンテナバッグに関し、特に使用時に自立可能なフレキシブルコンテナバッグに関する。
【背景技術】
【０００２】
フレキシブルコンテナバッグ（以下、「コンテナバッグ」と略す。）とは、バッグ本体部がプラスチック製等の織布やシート等で可撓性を有するように形成された大型のバッグであり、不使用時には折畳んで持ち運ぶことができ、使用時にはバッグ本体部を展開して、上部の開口部から種々の収容物を収容し、車両等に積み込んで輸送等するためのものである。
【０００３】
コンテナバッグは、バッグ本体部が可撓性を有しているため、展開時に自立困難であり、使用時には、ラック（枠体）を組み立ててその中に展開状態で配置し、バッグ本体部の上端四隅を紐等でラックに連結することにより立設しなければならない等、設置が容易でなかった。
【０００４】
かかる問題を解決するため、展開時に自立可能としたコンテナバッグに、下記特許文献１に示されたものがある。
【特許文献１】特開平１１−１８０４８８号公報
【考案の開示】
【考案が解決しようとする課題】
【０００５】
しかし、上記特許文献１に示されたコンテナバッグは、円弧状ロッドが隣接する側壁部にまで及んでバッグ本体に取着されているため（特許文献１の図１〜図３参照）、折畳み時に円弧状ロッドを捩じるような力を加えなければならず、折畳みが容易でないという問題があった。なお、特許文献１に示されたコンテナバッグでは、円弧状ロッドの交差部から上下方向に延びる線で区切られたバッグ本体の４面が、それぞれ側壁部と言える。
【０００６】
この考案は、上述した問題を解決するものであり、使用時に自立可能であるとともに、折畳み容易なコンテナバッグを提供することを目的とする。
【課題を解決するための手段】
【０００７】
本考案のフレキシブルコンテナバッグは、可撓性を有するバッグ本体部を有し、前記バッグ本体部は、矩形状の４つの側壁部を備えて、展開時に矩形箱形状をなし、前記４つの側壁部のうちの少なくとも互いに対向する２つの側壁部に、それぞれ、弾性を有する２本の棒部材が、円弧状に曲折された状態で、隣接する側壁部に及ぶことなく配設され、前記２つの側壁部の各々において、前記２本の棒部材のうちの一方の棒部材は、一端部が側壁部の右上隅部に取着され、他端部が側壁部の右下隅部に取着されて、長さ方向の中央部が側壁部の中央部付近に配置され、他方の棒部材は、一端部が側壁部の左上隅部に取着され、他端部が側壁部の左下隅部に取着されて、長さ方向の中央部が側壁部の中央部付近に配置されていることを特徴とする。なお、「中央部付近」には「中央部」も含む。
【０００８】
これによれば、各棒部材はその弾性により直線状に戻ろうとするため、対向する２つの側壁部の各々は、右上隅部と右下隅部の間が引っ張られるとともに、左上隅部と左下隅部の間が引っ張られることとなり、展開状態を保ち易い。このため、バッグ本体部が展開状態を保ち易くなり、自立可能となる。しかも、各棒部材は、隣接する側壁部に及ぶことなく配設されているため、折畳み時に棒部材を捩じるような力を加えなくてもよく、折畳み容易である。
【０００９】
ここで、前記２つの側壁部以外の１つの側壁部にも、前記２つの側壁部と同様に前記２本の棒部材が配設され、残りの側壁部には、前記２本の棒部材が配設されていないことが好ましい。
【００１０】
これによれば、対向する２つの側壁部以外の側壁部も、棒部材によって展開状態を保ち易くなるため、バッグ本体部がさらに展開状態を保ち易くなり、容易に自立可能となる。しかも、各棒部材は、隣接する側壁部には及んでいないため、折畳み容易である。また、棒部材が配設されていない残りの側壁部が外側になるように折畳めば、この残りの側壁部は可撓性が大きいため、折畳みがさらに容易である。
【考案の効果】
【００１１】
本考案のフレキシブルコンテナバッグによれば、展開時に自立可能であるばかりでなく、折畳み容易である。
【考案を実施するための最良の形態】
【００１２】
以下、本考案の一実施形態に係るコンテナバッグＢについて、図面に基づいて説明する。
【００１３】
図１及び図２に示すように、コンテナバッグＢは、バッグ本体部６と、バッグ本体部６の上端部に縫着により連結された拡開部１と、バッグ本体部６に縫着により取着された２本の吊下ベルト３、３とを備えている。なお、拡開部１と吊下ベルト３、３は、いずれも可撓性を有しているため、図１及び図２に示すようには自立せず、実際には下方へ垂れ下がった状態となるが、図１及び図２では、説明を容易にするために、上方に伸ばした状態を示している。
【００１４】
バッグ本体部６は、ポリプロピレン製布等で形成されることにより、可撓性を有しており、矩形状の底壁部１０（図３参照）と、いずれも矩形状の４つの側壁部４ａ、４ｂ、４ｃ、４ｄとを備えて、展開時に上方に開放された矩形箱形状をなすように構成されている。なお、区別の必要がないときは、側壁部４ａ、４ｂ、４ｃ、４ｄをいずれも側壁部４と表記する。
【００１５】
図３に示すように、側壁部４ａ、底壁部１０、側壁部４ｃは、１枚の布で一体形成され、側壁部４ｂ、４ｄは、それぞれ別の布で形成されており、側壁部４ｂと底壁部１０、側壁部４ｂと側壁部４ａ、側壁部４ｂと側壁部４ｃ、側壁部４ｄと底壁部１０、側壁部４ｄと側壁部４ａ、側壁部４ｄと側壁部４ｃを、それぞれ縫着することにより、バッグ本体部６が形成されている。
【００１６】
拡開部１は、ポリエチレン製布等で形成されることにより、可撓性を有しており、図１及び図２に示すように、展開時に上端部が下端部よりも広がった台形筒形状をなすように構成されている。拡開部１には、ポリプロピレン製布等で形成された縛りテープ２が縫着されている。
【００１７】
各吊下ベルト３は、ポリプロピレン製布等で形成されることにより、可撓性を有しており、一方の吊下ベルト３は側壁部４ａに取着され、他方の吊下ベルト３は、側壁部４ａに対向する側壁部４ｃに取着されている。
【００１８】
互いに対向する側壁部４ｂ、４ｄ及び側壁部４ｃには、それぞれ、弾性を有する２本の棒部材９、９が、円弧状に曲折された状態で配設されている。
【００１９】
各棒部材９は、グラスファイバー（ガラス繊維強化プラスチック）製で元々直線状に形成されたものであり、これを円弧状に曲折した状態で配設するので、各棒部材９は、直線状に戻ろうとする弾性力を有している。
【００２０】
側壁部４ｂにおいて、一方の棒部材９は、一端部が側壁部４ｂの右上隅部に取着され、他端部が側壁部４ｂの右下隅部に取着されて、長さ方向の中央部が側壁部４ｂの中央部付近に配置され、他方の棒部材９は、一端部が側壁部４ｂの左上隅部に取着され、他端部が側壁部４ｂの左下隅部に取着されて、長さ方向の中央部が側壁部４ｂの中央部付近に配置されている。すなわち、棒部材９、９は、側壁部４ｂの展開時において互いに相手に対して凸となる対向状態になるように、配設されている。また、棒部材９、９は、隣接する側壁部４ａ、４ｃに及ぶことなく配設されている。
【００２１】
詳しくは、図４（ａ）（ｂ）に示すように、側壁部４ｂの右上隅部及び右下隅部には、それぞれ、ポリ塩化ビニル製の差込チューブ７が取着されている。差込チューブ７の取着は、側壁部４ｂと側壁部４ｃとの縫着と同時に差込チューブ７の端部を側壁部４ｂに縫着することにより行う。なお、側壁部４ｂと側壁部４ｃとは、図５に示すように端部同士を重ねて縫着する。同様に、側壁部４ｂの左上隅部及び左下隅部にも、それぞれ、差込チューブ７が取着されている。そして、一方の棒部材９は、一端部を右上隅部の差込チューブ７に、他端部を右下隅部の差込チューブ７に差し込むことにより、側壁部４ｂの略右半分に配設され、他方の棒部材９は、一端部を左上隅部の差込チューブ７に、他端部を左下隅部の差込チューブ７に差し込むことにより、側壁部４ｂの略左半分に配設されている。
【００２２】
また、図６（ａ）に示すように、棒部材９、９の中央部は、ずれ止めテープ８により、側壁部４ｂの中央部付近に配置されている。なお、図６（ｂ）に示すように、ずれ止めテープ８は、棒部材９、９の動きを妨げないように、棒部材９、９との間にゆとりを持って側壁部４ｂに縫着されている。
【００２３】
側壁部４ｃ、４ｄにも、それぞれ、側壁部４ｂと同様に、差込チューブ７及びずれ止めテープ８を介して棒部材９、９が取着されている。
【００２４】
すなわち、側壁部４ｃにおいては、一方の棒部材９は、一端部が側壁部４ｃの右上隅部に取着され、他端部が側壁部４ｃの右下隅部に取着されて、長さ方向の中央部が側壁部４ｃの中央部付近に配置され、他方の棒部材９は、一端部が側壁部４ｃの左上隅部に取着され、他端部が側壁部４ｃの左下隅部に取着されて、長さ方向の中央部が側壁部４ｃの中央部付近に配置されている。
【００２５】
側壁部４ｄにおいては、一方の棒部材９は、一端部が側壁部４ｄの右上隅部に取着され、他端部が側壁部４ｄの右下隅部に取着されて、長さ方向の中央部が側壁部４ｄの中央部付近に配置され、他方の棒部材９は、一端部が側壁部４ｄの左上隅部に取着され、他端部が側壁部４ｄの左下隅部に取着されて、長さ方向の中央部が側壁部４ｄの中央部付近に配置されている。
【００２６】
また、側壁部４ａには、棒部材９は配設されてなく、ポリエチレン製布等で形成されたポケット５が縫着されている。
【００２７】
以上のように構成されたコンテナバッグＢの作用について、次に説明する。
【００２８】
コンテナバッグＢを使用するときは、図１及び図２に示すように、低壁部１０及び側壁部４ａ、４ｂ、４ｃ、４ｄを展開することにより、バッグ本体部６を展開する。このとき、各棒部材９はその弾性により直線状に戻ろうとするため、棒部材９、９が配設された側壁部４ｂ、４ｃ、４ｄは、それぞれ、右上隅部と右下隅部の間が引っ張られるとともに、左上隅部と左下隅部の間が引っ張られる。すなわち、側壁部４ｂ、４ｃ、４ｄは、棒部材９、９により広がろうとする力（展開力）が付与されているため、展開状態を保ち易い。このため、バッグ本体部６は、展開状態を保ち易く、自立可能である。
【００２９】
バッグ本体部６を展開し自立させた後、拡開部１を、バッグ本体部６内から引き出して、バッグ本体部６との連結部分でバッグ本体部６の外側に折り返す。そして、収容物をバッグ本体部６の開口部１１からバッグ本体部６内に収容する。
【００３０】
収容物を収容し終わったら、図７に示すように、拡開部１を絞って縛りテープ２で結着し、バッグ本体部６の開口部１１を閉鎖する。そして、吊下ベルト３、３をクレーン等で吊り下げることによりコンテナバッグＢを吊り上げ、車両等に積載する。
【００３１】
一方、不使用時にコンテナバッグＢを折畳むときは、図８（ａ）に示すように、拡開部１及び吊下テープ３、３をバッグ本体部６内に収納して、側壁部４ｂ、４ｃ、４ｄを、それぞれ、側壁部４ｂ、４ｃ、４ｄの中央部を通る縦の線で内側に折り込むように２つ折りにする。すると、図８（ｂ）に示すように、コンテナバッグＢは、側壁部４ａが外側になって２つに折畳まれる。
【００３２】
このように、コンテナバッグＢは、側壁部４の横幅が半分になるように折畳まれるので、コンパクトになって持ち運びし易い。
【００３３】
また、各棒部材９は、隣接する側壁部４に及ぶことなく配設されているため、折畳み時に棒部材９を捩じるような力を加えなくてもよく、折畳み容易である。
【００３４】
しかも、側壁部４ｂ、４ｃ、４ｄにおいて、それぞれ、一方の棒部材９は、一端部が側壁部の右上隅部に、他端部が側壁部の右下隅部に取着されて、長さ方向の中央部が側壁部の中央部付近に配置され、他方の棒部材９は、一端部が側壁部の左上隅部に取着され、他端部が側壁部の左下隅部に取着されて、長さ方向の中央部が側壁部の中央部付近に配置されている。すなわち、一方の棒部材９は側壁部４の略右半分に、他方の棒部材９は側壁部４の略左半分に配設されているので、側壁部４の中央部を通る縦の線で２つ折りにするときに、棒部材９、９が邪魔にならないのみならず、棒部材９、９間で２つ折りにすればよいこととなって、棒部材９、９が２つ折りにするときのガイドの役目を果たすため、かかる点からも、コンテナバッグ６は折畳みが容易である。
【００３５】
そして、側壁部４ａは、棒部材９が配設されてない。すなわち、展開力が付与されていないため、可撓性が大きい。このため、側壁部４ａを外側にして折畳めば、折畳みがさらに容易である。
【００３６】
なお、折畳みの容易性よりも展開の容易性を重視するならば、側壁部４ａに、側壁部４ｂ等と同様に棒部材９、９を配設することとしてもよい。
【００３７】
また、上記実施形態では、３つの側壁部４ｂ、４ｃ、４ｄに棒部材９、９を配設したが、対向する２つの側壁部４ｂ、４ｄにのみ、棒部材９、９を配設することとしてもよい。そうすれば、側壁部４ｂ、４ｄに付与された展開力により、バッグ本体部６は自立可能となる。但し、上記実施形態のように、３つの側壁部４ｂ、４ｃ、４ｄに棒部材９、９を配設する方が、バッグ本体部６がより安定して自立することとなる。
【００３８】
また、棒部材９の素材は、グラスファイバーに限るものではなく、カーボンファイバー等の他の繊維強化プラスチック、繊維強化でないプラスチック、金属、竹等であってもよい。要するに、円弧状に曲折したときに直線状に戻る方向に弾性力を生じるように、棒部材９を構成可能なものであればよい。
【００３９】
また、バッグ本体部６の素材は、ポリプロピレンに限らず、ポリエステル等の他の化学繊維や綿等の天然繊維でもよく、また、織布ではないシート状のものでバッグ本体部６を構成してもよい。要するに、バッグ本体部６の素材は、バッグ本体部６を可撓性を有するように構成可能なものであればよい。
【００４０】
また、棒部材９の取付け方は、上記した差込チューブ７及びずれ止めテープ８を用いたものに限らず、例えば、ずれ止めテープ８の代りに、棒部材９を２本挿通可能なチューブを用い、かかるチューブに棒部材９、９の中央部を挿通することとしてもよい。このとき、チューブの中に棒部材９、９がきっちり嵌って、チューブが棒部材９、９における配置位置からずれる虞がなければ、チューブを側壁部４に取着しなくてもよい。
【００４１】
また、上記実施形態では、棒部材９を側壁部４の外面側に配設したが、棒部材９を側壁部４の内面側に配設してもよいし、側壁部４が、二重壁である場合等、複数の壁部を積層することにより構成されている場合には、側壁部４の内部に配設してもよい。
【００４２】
すなわち、実用新案登録請求の範囲を逸脱しない範囲で、本考案は種々の構成を採り得る。
【図面の簡単な説明】
【００４３】
【図１】本考案の一実施形態に係るコンテナバッグの斜視図である。
【図２】図１とは反対側から見た同コンテナバッグの斜視図である。
【図３】拡開部を省略した同コンテナバッグの概略展開図である。
【図４】（ａ）は側壁部の右上隅部、（ｂ）は側壁部の右下隅部の拡大図である。
【図５】側壁部同士の縫着の仕方を説明するための概略断面図である。
【図６】（ａ）は側壁部の中央部の拡大図、（ｂ）は（ａ）のｂ−ｂ部位断面図である。
【図７】拡開部を閉じた状態の同コンテナバッグの斜視図である。
【図８】（ａ）は同コンテナバッグを折畳む途中を示す図、（ｂ）は同コンテナバッグを折畳んだ状態を示す図である。
【符号の説明】
【００４４】
４、４ａ、４ｂ、４ｃ、４ｄ…側壁部
６…バッグ本体部
９…棒部材
Ｂ…コンテナバッグ
【図１】
0003122365.tif 000003
【図２】
0003122365.tif 000004
【図３】
0003122365.tif 000005
【図４】
0003122365.tif 000006
【図５】
0003122365.tif 000007
【図６】
0003122365.tif 000008
【図７】
0003122365.tif 000009
【図８】
0003122365.tif 000010